(57)【要約】【課題】  容器の内圧が過剰に上昇した場合には充分確実に内圧を開放することができるにもかかわらず、充分な耐落下衝撃特性を有する容器蓋（２）提供する。【解決手段】  内圧開放ライン（３６）を２０乃至６０度の角度範囲に渡って存在する低強度領域（３８）と、この低強度領域に対して直径方向反対側に位置し且つ              ２０乃至７０度の角度範囲に渡って存在する高強度領域（４０）と、そして更に低強度領域と高強度領域との間に位置する中強度領域（４２）とを含む形態にせしめる。或いは、内圧解放ライン（１３６）における低強度領域（１３８）を２０乃至６０度の角度範囲に限定し、残余の角度範囲を高強度領域（１４０）にせしめる。或いは、内圧開放ライン（２３６）を２０乃至６０度の角度範囲に渡って存在する低強度領域（２３８）とこの低強度領域に隣接してその両側に夫々位置し且つ５乃至４０度の角度範囲に渡って存在する高強度領域（２４０）と残余の非低強度領域（２４１）とを含む形態にせしめる。【選択図】          図２
2006117301.tif 000002
【特許請求の範囲】
【請求項１】
円形天面壁及び該天面壁の周縁から垂下する円筒形スカート壁を有する金属薄板製シェルと、該シェル内に配設された合成樹脂製ライナーとを具備し、該シェルの該スカート壁の上端部には周方向に延在する内圧開放ラインが配設されており、該内圧開放ラインは周方向に間隔をおいて周方向に延びる多数のスリットと該スリットと該スリット間に存在する多数の橋絡部とから構成されている容器蓋において、
該内圧開放ラインは２０乃至６０度の角度範囲に渡って存在する低強度領域と、該低強度領域に対して直径方向反対側に位置し且つ２０乃至７０度の角度範囲に渡って存在する高強度領域と、該低強度領域と該高強度領域との間に位置する中強度領域とを含み、該低強度領域は少なくとも１個の低強度橋絡部と該スリットとから構成されており、該高強度領域には該スリットが存在せず該高強度領域は連続して延在する高強度橋絡部によって規定されており、該中強度領域は該高強度橋絡部よりは低いが該低強度橋絡部よりは高い強度を有する中強度橋絡部と該スリットとから構成されている、ことを特徴とする容器蓋。
【請求項２】
該低強度橋絡部の周方向幅は０．５乃至０．８ｍｍである、請求項１記載の容器蓋。
【請求項３】
該低強度領域には３又は４個の該低強度橋絡部が存在し、該低強度橋絡部間に位置する該スリットは２．０乃至５．０ｍｍの周方向長さを有する、請求項２記載の容器蓋。
【請求項４】
該中強度橋絡部の周方向幅は１．０乃至１．５ｍｍであり、該中強度橋絡部間に位置する該スリットは２．０乃至５．０ｍｍの周方向長さを有する、請求項１から３までのいずれかに記載の容器蓋。
【請求項５】
円形天面壁及び該天面壁の周縁から垂下する円筒形スカート壁を有する金属薄板製シェルと、該シェル内に配設された合成樹脂製ライナーとを具備し、該シェルの該スカート壁の上端部には周方向に延在する内圧開放ラインが配設されており、該内圧開放ラインは周方向に間隔をおいて周方向に延びる多数のスリットと該スリットと該スリット間に存在する多数の橋絡部とから構成されている容器蓋において、
該内圧開放ラインは低強度領域と高強度領域とを含み、該低強度領域は２０乃至６０  度の角度範囲に渡って存在し、該高強度領域は残余の角度範囲に渡って存在し、該低強度領域は少なくとも１個の低強度橋絡部と該スリットとから構成されており、該高強度領域は複数個の高強度橋絡部と該スリットとから構成されている、ことを特徴とする容器蓋。
【請求項６】
該低強度橋絡部の周方向幅は０．５乃至０．８ｍｍである、請求項５記載の容器蓋。
【請求項７】
該低強度領域には３又は４個の該低強度橋絡部が存在し、該低強度橋絡部間に位置する該スリットは２．０乃至５．０ｍｍの周方向長さを有する、請求項６記載の容器蓋。
【請求項８】
該高強度橋絡部の周方向幅は２．０乃至１０．０ｍｍであり、該高強度橋絡部間に位置する該スリットは２．０乃至５．０ｍｍの周方向長さを有する、請求項５から７までのいずれかに記載の容器蓋。
【請求項９】
円形天面壁及び該天面壁の周縁から垂下する円筒形スカート壁を有する金属薄板製シェルと、該シェル内に配設された合成樹脂製ライナーとを具備し、該シェルの該スカート壁の上端部には周方向に延在する内圧開放ラインが配設されており、該内圧開放ラインは周方向に間隔をおいて周方向に延びる多数のスリットと該スリットと該スリット間に存在する多数の橋絡部とから構成されている容器蓋において、
該内圧開放ラインは２０乃至６０度の角度範囲に渡って存在する低強度領域と該低強度領域に隣接してその両側に夫々位置し且つ５乃至４０度の角度範囲に渡って存在する高強度領域と残余の角度範囲に存在する非低強度領域とを含み、該低強度領域は少なくとも１個の低強度橋絡部と該スリットから構成されており、該高強度領域には該スリットが存在せず該高強度領域は連続して延在する高強度橋絡部によって規定されている、ことを特徴とする容器蓋。
【請求項１０】
該低強度橋絡部の周方向幅は０．５乃至０．８ｍｍである、請求項９記載の容器蓋。
【請求項１１】
該低強度領域には３又は４個の該低強度橋絡部が存在し、該低強度橋絡部間に位置する該スリットは２．０乃至５．０ｍｍの周方向長さを有する、請求項６記載の容器蓋。
【請求項１２】
該非低強度領域は該低強度領域に対して直径方向反対側に位置し且つ２０乃至７０度の角度範囲に渡って存在する付加高強度領域と残余の角度範囲に渡って存在する中強度領域とを含み、該付加高強度橋絡部には該スリットが存在せず該付加高強度領域は付加高強度橋絡部から構成されており、該中強度領域は該高強度橋絡部及び該付加高強度橋絡部よりは低いが該低強度橋絡部よりは高い強度を有する中強度橋絡部と該スリットとから構成されている、請求項９から１１までのいずれかに記載の容器蓋。
【請求項１３】
該中強度橋絡部の周方向幅は１．０乃至１．５ｍｍであり、該中強度橋絡部間に位置する該スリットは２．０乃至５．０ｍｍの周方向長さを有する、請求項１２記載の容器蓋。
【発明の詳細な説明】
【技術分野】
【０００１】
本発明は、内圧開放特性、即ち容器内圧が過剰に上昇すると容器内圧を自動的に開放する特性、を有する容器蓋に関する。
【背景技術】
【０００２】
下記特許文献１には内圧開放特性を有する容器蓋が開示されている。かかる容器蓋は、円形天面壁及びこの天面壁の周縁から垂下する円筒形スカート壁を有する金属薄板製シェルとこのシェル内に配設された合成樹脂製ライナーとを具備している。シェルのスカート壁の上端部には周方向に延在する内圧開放ラインが配設されている。この内圧開放ラインは高々１０度の角度範囲に渡って延在する高強度領域と残余の角度範囲に渡って延在する低強度領域とから構成されている。高強度領域にはスリットが存在せず、高強度領域は連続して延在する高強度橋絡部によって規定されている。低強度領域は周方向に所定間隔をおいて配設された多数の低強度橋絡部とかかる低強度橋絡部間に存在する多数のスリットとから構成されている。低強度橋絡部の周方向幅は高強度橋絡部の周方向幅に比べて相当小さく設定されている。
【０００３】
容器の口頸部に容器蓋を装着して口頸部を密封した状態で容器の内容物が過剰に加熱された場合、或いは口頸部から一旦容器蓋を離脱せしめた後に再び口頸部に容器蓋を装着して口頸部を密封した後に内容物が腐敗して発酵した場合には、容器の内圧が過剰に上昇する虞がある。然るに、上記のとおりの容器蓋においては、容器の内圧が過剰に上昇した場合には、容器蓋に作用する過大な圧力によって内圧開放ラインにおける低強度橋絡部が破断され、高強度領域に存在する高強度橋絡部を旋回中心部としてシェルの天面壁が上方に旋回され、そしてまたこれに付随してライナーも上方に旋回され、これによって容器内の過剰に上昇した内圧が開放される。かくして、容器が破裂し或いは容器蓋の全体が容器の口頸部から離脱して飛翔せしめられるといった危険の発生が回避される。
【特許文献１】実公平７−２５３１８号公報
【発明の開示】
【発明が解決しようとする課題】
【０００４】
而して、上述した従来の容器蓋においては、容器の内圧が過剰に上昇した場合にはかかる内圧を開放することができるが、例えば容器の口頸部に容器蓋を装着して口頸部を密封した状態で容器が比較的低い高さから落下せしめられた場合にも、落下衝撃に起因してシェルの内圧開放ラインにおける低強度橋絡部が破断されてしまって容器の密封が毀損されてしまう虞が少なくない。
【０００５】
本発明は上記事実に鑑みてなされたものであり、その主たる技術的課題は、上述した従来の容器蓋を改良して、容器の内圧が過剰に上昇した場合には充分確実に内圧を開放することができるにもかかわらず、充分な耐落下衝撃特性を有するようにせしめることである。
【課題を解決するための手段】
【０００６】
本発明者等は、鋭意検討及び実験の結果、内圧開放ラインを２０乃至６０度の角度範囲に渡って存在する低強度領域と、この低強度領域に対して直径方向反対側に位置し且つ２０乃至７０度の角度範囲に渡って存在する高強度領域と、そして更に低強度領域と高強度領域との間に位置する中強度領域とを含む形態にせしめることによって上記主たる技術的課題を達成することができることを見出した。
【０００７】
更に、本発明者等は、内圧解放ラインにおける低強度領域を２０乃至６０度の角度範囲に限定し、残余の角度範囲を高強度領域にせしめることによっても、上記主たる技術的課題を達成することができることを見出した。
【０００８】
そしてまた、内圧開放ラインを２０乃至６０度の角度範囲に渡って存在する低強度領域とこの低強度領域に隣接してその両側に夫々位置し且つ５乃至４０度の角度範囲に渡って存在する高強度領域と残余の非低強度領域とを含む形態にせしめることによっても上記主たる技術的課題を達成することができることを見出した。
【０００９】
即ち、本発明の一局面によれば、上記主たる技術的課題を達成することができる容器蓋として、円形天面壁及び該天面壁の周縁から垂下する円筒形スカート壁を有する金属薄板製シェルと、該シェル内に配設された合成樹脂製ライナーとを具備し、該シェルの該スカート壁の上端部には周方向に延在する内圧開放ラインが配設されており、該内圧開放ラインは周方向に間隔をおいて周方向に延びる多数のスリットと該スリットと該スリット間に存在する多数の橋絡部とから構成されている容器蓋において、
該内圧開放ラインは２０乃至６０度の角度範囲に渡って存在する低強度領域と、該低強度領域に対して直径方向反対側に位置し且つ２０乃至７０度の角度範囲に渡って存在する高強度領域と、該低強度領域と該高強度領域との間に位置する中強度領域とを含み、該低強度領域は少なくとも１個の低強度橋絡部と該スリットとから構成されており、該高強度領域には該スリットが存在せず該高強度領域は連続して延在する高強度橋絡部によって規定されており、該中強度領域は該高強度橋絡部よりは低いが該低強度橋絡部よりは高い強度を有する中強度橋絡部と該スリットとから構成されている、ことを特徴とする容器蓋が提供される。
【００１０】
該低強度橋絡部の周方向幅は０．５乃至０．８ｍｍであるのが好適である。好ましくは、該低強度領域には３又は４個の該低強度橋絡部が存在し、該低強度橋絡部間に位置する該スリットは２．０乃至５．０ｍｍの周方向長さを有する。該中強度橋絡部の周方向幅は１．０乃至１．５ｍｍであり、該中強度橋絡部間に位置する該スリットは２．０乃至５．０ｍｍの周方向長さを有するのが好ましい。
【００１１】
本発明の他の局面によれば、上記主たる技術的課題を達成する容器蓋として、円形天面壁及び該天面壁の周縁から垂下する円筒形スカート壁を有する金属薄板製シェルと、該シェル内に配設された合成樹脂製ライナーとを具備し、該シェルの該スカート壁の上端部には周方向に延在する内圧開放ラインが配設されており、該内圧開放ラインは周方向に間隔をおいて周方向に延びる多数のスリットと該スリットと該スリット間に存在する多数の橋絡部とから構成されている容器蓋において、
該内圧開放ラインは低強度領域と高強度領域とを含み、該低強度領域は２０乃至６０度の角度範囲に渡って存在し、該高強度領域は残余の角度範囲に渡って存在し、該低強度領域は少なくとも１個の低強度橋絡部と該スリットとから構成されており、該高強度領域は複数個の高強度橋絡部と該スリットとから構成されている、ことを特徴とする容器蓋が提供される。
【００１２】
好ましくは、該低強度橋絡部の周方向幅は０．５乃至０．８ｍｍである。該低強度領域には３又は４個の該低強度橋絡部が存在し、該低強度橋絡部間に位置する該スリットは２．０乃至５．０ｍｍの周方向長さを有するのが好適である。該高強度橋絡部の周方向幅は２．０乃至１０．０ｍｍであり、該高強度橋絡部間に位置する該スリットは２．０乃至５．０ｍｍの周方向長さを有するのが好ましい。
【００１３】
本発明の更に他の局面によれば、上記主たる技術的課題を達成することができる容器蓋として、円形天面壁及び該天面壁の周縁から垂下する円筒形スカート壁を有する金属薄板製シェルと、該シェル内に配設された合成樹脂製ライナーとを具備し、該シェルの該スカート壁の上端部には周方向に延在する内圧開放ラインが配設されており、該内圧開放ラインは周方向に間隔をおいて周方向に延びる多数のスリットと該スリットと該スリット間に存在する多数の橋絡部とから構成されている容器蓋において、
該内圧開放ラインは２０乃至６０度の角度範囲に渡って存在する低強度領域と該低強度領域に隣接してその両側に夫々位置し且つ５乃至４０度の角度範囲に渡って存在する高強度領域と残余の角度範囲に存在する非低強度領域とを含み、該低強度領域は少なくとも１個の低強度橋絡部と該スリットから構成されており、該高強度領域には該スリットが存在せず該高強度領域は連続して延在する高強度橋絡部によって規定されている、ことを特徴とする容器蓋が提供される。
【００１４】
該低強度橋絡部の周方向幅は０．５乃至０．８ｍｍであるのが好適である。好ましくは、該低強度領域には３又は４個の該低強度橋絡部が存在し、該低強度橋絡部間に位置する該スリットは２．０乃至５．０ｍｍの周方向長さを有する。該非低強度領域は該低強度領域に対して直径方向反対側に位置し且つ２０乃至７０度の角度範囲に渡って存在する付加高強度領域と残余の角度範囲に渡って存在する中強度領域とを含み、該付加高強度橋絡部には該スリットが存在せず該付加高強度領域は付加高強度橋絡部から構成されており、該中強度領域は該高強度橋絡部及び該付加高強度橋絡部よりは低いが該低強度橋絡部よりは高い強度を有する中強度橋絡部と該スリットとから構成されているのが好適である。該中強度橋絡部の周方向幅は１．０乃至１．５ｍｍであり、該中強度橋絡部間に位置する該スリットは２．０乃至５．０ｍｍの周方向長さを有するのが好ましい。
【発明の効果】
【００１５】
本発明の容器蓋においては、後述する実施例及び比較例から明確に理解される如く、容器の内圧が過剰に上昇した場合には充分確実に内圧を開放することができるにもかかわらず、従来の容器蓋に比べて耐落下衝撃特性が大幅に向上せしめられる。
【発明を実施するための最良の形態】
【００１６】
以下、本発明に従って構成された容器蓋の好適実施形態について、添付図面を参照して更に詳述する。
【００１７】
図１は本発明に従って構成された容器蓋の第一の実施形態を図示している。全体を番号２で示す容器蓋は、金属薄板製シェル４と合成樹脂製ライナー６とから構成されている。
【００１８】
厚さが０．２２乃至０．２６ｍｍ程度のアルミニウム基合金薄板から形成されているのが好都合であるシェル４は、円形天面壁８とこの天面壁８の周縁から垂下する略円筒形状のスカート壁１０とを有する。スカート壁１０の下部には周方向に延びる破断ライン１２が形成されており、スカート壁１０は破断ライン１２よりも上方の主部１４と破断ライン１２よりも下方のタンパーエビデント裾部１６とに区画されている。更に詳述すると、スカート壁１０の下部には半径方向外方に膨出せしめられた環状膨出部１８が形成されており、かかる環状膨出部１８には周方向に適宜の間隔をおいて周方向に延びる複数個のスリット２０が形成されており、上記破断ライン１２は複数個のスリット２０とかかるスリット２０間に位置する複数個の橋絡部２２によって規定されている。タンパーエビデント裾部１６は橋絡部２２を介して主部１４に接続されている。
【００１９】
スカート壁１０の主部１４における軸線方向略中央部には環状溝２４が形成されている。
環状溝２４の上方には周方向に凹部２８と凸部３０とが交互に存在する凹凸形状部が形成されている。そして、凹凸形状部の上端縁には、周方向に間隔をおいて周方向に延びる多数、好ましくは２０乃至３０個、のスリット３２とかかるスリット３２間に存在する多数、好ましくは２０乃至３０個、の橋絡部３４とから構成された内圧開放ライン３６が配設されている。
【００２０】
図１と共に図２を参照して説明を続けると、内圧開放ライン３６は低強度領域３８、高強度領域４０及び中強度領域４２を含んでいる。低強度領域３８は２０乃至６０度、好ましくは２５乃至４５度、の角度領域に渡って存在していることが重要である。低強度領域３８は少なくとも１個、好ましくは３又は４個、の低強度橋絡部３４ａと複数個のスリット３２から構成されていることが重要である。図示の低強度領域３８は３個の低強度橋絡部３４ａと４個のスリット３２とから構成されている。低強度橋絡部３４ａの周方向幅ｗａは０．５乃至０．８ｍｍ、特に０．５乃至０．７ｍｍであるのが好適である。低強度領域３８におけるスリット３２の周方向長さ(幅）ｓｗは２．０乃至５．０ｍｍ程度でよい。高強度領域４０は低強度領域３８に対して直径方向反対側に位置し、２０乃至７０度、好ましくは２５乃至６０度の角度範囲に渡って存在していることが重要である。更に、高強度領域４０にはスリット３２が存在せず、高強度領域４０は連続して延在する１個の高強度橋絡部３４ｂによって規定されていることが重要である。中強度領域４２は低強度領域３８と高強度領域４０との間に位置せしめられている。換言すれば、内圧開放ライン３６における低強度領域３８及び高強度領域４０以外の領域は中強度領域４２である。かかる中強度領域４２は複数個の中強度橋絡部３４ｃと複数個のスリット３２とから構成されている。中強度橋絡部３４ｃの周方向幅ｗｃは１．０乃至１．５ｍｍ、特に１．１乃至１．４ｍｍであるのが好適である。中強度領域４２におけるスリット３２の周方向長さ（幅）ｓｗは、低強度領域３８におけるスリット３２と同様に、２．０乃至５．０ｍｍ程度でよい。
【００２１】
再び図１を参照して説明すると、軟質ポリエチレンの如き適宜の合成樹脂から形成することができるライナー６は、蓋本体４の天面壁８の内面に配設されている。かかるライナー６は、天面壁８の内面に軟化溶融状態の合成樹脂素材を供給し、かかる合成樹脂素材を所要形状に型押成形することによって好都合に形成することができる。図示の実施形態におけるライナー８は、比較的肉薄の円形中央部４０と比較的肉厚の環状周縁部４２とから構成されている。環状周縁部４２には下方に突出する２条の環状突条、即ち外側環状突条４４と内側環状突条４６とが形成されている。外側環状突条４４の外周面は実質上円筒形状であり、下面は実質上水平であり、内周面は略円錐台形状である。内側環状突条４６の外周面の上半部は略逆円錐形状で下半部は実質上円筒形状であり、下面は断面図において半径方向内方に向って下方に円弧状に延びる形状であり、内周面は実質上円筒形状である。外側環状突条４４の半径方向厚さは比較的大きく、内側環状突条４６の半径方向厚さは比較的小さい。一方、外側環状突条４４の下方への突出長さは比較的小さく、内側環状突条４６の下方への突出長さは比較的大きい。環状周縁部４２における外側環状突条４４と内側環状突条４６との間の部分の下面は実質上水平である。ライナー６のその他の領域はシェル４の天面壁８の内面に対して接着されているが、ライナー６の環状周縁部の半径方向外側領域、例えば図１に符号ｘで示す領域はシェル４の天面壁８の内面に対して非接着状態であるのが、耐衝撃性の点から好適である。
【００２２】
図１及び図３には容器蓋２が適用される容器の口頸部４８も図示されている。図示の容器はアルミニウム基合金薄板から形成されており、略円筒形状の口頸部４８を有する。口頸部４８の上端部は上方に向って半径方向内方に傾斜せしめられた円錐台形状であり、上端には外巻カール５０が形成されている。口頸部４８の軸線方向中間部には雄螺条５２が形成され、かかる雄螺条５２の下方には半径方向外方に膨出せしめられた環状係止あご部５４が形成されている。本発明に従って構成された容器蓋２は、図示の形態の口頸部４８を有する容器に限られることなく、金属薄板、ガラス或いは適宜の合成樹脂から形成された種々の形態の口頸部を有する容器にも適用され得ることは多言するまでもない。
【００２３】
図１及び図３を参照して説明を続けると、口頸部４８に容器蓋２を装着して口頸部４８を密封する際には口頸部４８に容器蓋２を被嵌する。かくすると、図１に図示する如く、ライナー６の外側環状突条４４の内周面が口頸部４８の外巻カール５０の頂面外側部に当接せしめられる。次いで、図３に図示する如く、容器蓋２を下方に押圧してライナー６、特にその外側環状突条４４の内周面を口頸部４８の外巻カール５０の頂面乃至外周面上端部に密接せしめる。そして、シェル４の天面壁８とスカート壁１０との境界領域を下方及び半径方向内側に変形せしめて環状没入部５６を形成し、スカート壁１０の主部１４における環状溝２４から下方の領域に、口頸部４８の雄螺条５２に対応せしめて雌螺条５８を形成し、そしてまたシェル４のタンパーエビデント裾部１６の下部を半径方向内側に変位せしめて、口頸部４８の係止あご部５４に係止せしめる。容器内に内容物を充填する際に溢れ出た内容物が口頸部４８の外周面に付着している虞がある場合には、容器蓋４に上水でよい洗浄液を噴射することができる。かくすると、噴射された洗浄液がシェル４のスカート壁１０に形成されている内圧開放ライン３６におけるスリット３２を通ってシェル４と口頸部４８との間に侵入し、口頸部４８の外周面に付着した内容物を洗い流す。
【００２４】
容器蓋２によって密封されている容器の口頸部４８を開封する際には、容器蓋２を開方向、即ち図３において上方から見て反時計方向に回転せしめる。かくすると、スカート壁１０に形成されている雌螺条５８が口頸部４８に形成されている雄螺条５２に沿って移動し、従って回転と共に上昇せんとする。しかしながら、タンパーエビデント裾部１６は環状係止あご部５４に係止されている故に上昇が阻止され、従って破断ライン１２、更に詳しくはその橋絡部２２に相当な応力が生成され、橋絡部２２が破断されてタンパーエビデント裾部１６がスカート壁１０の主部１４から分離される。しかる後においては、容器蓋２は、タンパーエビデント裾部１６を除いて、回転と共に上昇せしめられて口頸部４８から離脱され、かくして口頸部４８が開封される。一旦開封した口頸部４８を一時的に再び密封することが望まれる場合には、口頸部４８から離脱した容器蓋２を再び口頸部４８に被嵌せしめて閉方向、即ち図３において上方から見て時計方向に回転せしめ、容器蓋２の雌螺条５８を口頸部４８の雄螺条５２に螺合せしめればよい。雌螺条５８を雄螺条５２に充分に螺合せしめれると、ライナー６、特にその外側環状突条４４の内周面が再び口頸部４８の外巻カール５０の頂面乃至外周面上端部に密接せしめられ、口頸部４８が密封される。
【００２５】
而して、容器蓋２を容器の口頚部４８に装着して口頸部４８を密封した状態において、例えば容器が過剰に加熱されることによって、或いは口頸部４８から一旦容器蓋２を離脱した後に再び容器蓋２を口頸部４８に装着して口頸部４８を密封した後に内容物が腐敗して発酵することによって、容器内圧が過剰に上昇せしめられると、後述する実施例からも理解される如く、最初にシェル４のスカート壁１０に形成されている内圧開放ライン３６における低強度領域３８の低強度橋絡部３４ａが破断され、そして低強度橋絡部３４ａの破断に誘発されて中強度領域４２の中強度橋絡部３４ｃも破断される。一方、高強度領域４０を規定している高強度橋絡部３４ｂは破断されることなく維持される。従って、図３に二点鎖線で例示する如く、破断されることなく維持されている高強度領域４０を旋回基部としてシェル４の天面壁８及びその内面に配設されているライナー６が上方に旋回されて口頸部４８から離隔され、かくして過剰に上昇した内圧が開放される。それ故に、過剰に上昇下内圧によって容器が破裂され或いは口頸部４８から容器蓋２が飛翔せしめられることが充分確実に回避される。他方、例えば口頸部４８が容器蓋２によって密封されている容器が倒立状態で落下せしめられ、容器蓋２に相当な衝撃が加えられたとしても、内圧開放ライン３６の低強度領域３８の両側には中強度領域４２が存在することによって低強度領域３６の耐衝撃性が補強されている故に、低強度領域３８の低強度橋絡部３４ａが破断されて口頸部４８の密封が毀損されてしまうことは充分確実に回避される。
【００２６】
図４は本発明に従って構成された容器蓋の他の好適実施形態を図示している。図４に図示する実施形態においては、シェル１０４のスカート壁１１０に形成されている内圧開放ライン１３６は、低強度領域１３８及び高強度領域１４０を含んでいる。低強度領域１３８は、図１乃至図３に図示する実施形態における内圧開放ライン３６における低強度領域３８と同様に、２０乃至６０度、好ましくは２５乃至４５度、の角度範囲に渡って存在していることが重要である。高強度領域１４０は残余の角度範囲に渡って存在している。低強度領域１３８は少なくとも１個、好ましくは３又は４個、の低強度橋絡部１３４ａと複数個のスリット１３２から構成されていることが重要である。図示の低強度領域１３８は３個の低強度橋絡部１３４ａと４個のスリット１３２とから構成されている。低強度橋絡部１３４ａの周方向幅ｗａは０．５乃至０．８ｍｍ、特に０．５乃至０．７ｍｍであるのが好適である。低強度領域１３８におけるスリット１３２の周方向長さ(幅）ｓｗは２．０乃至５．０ｍｍ程度でよい。高強度領域１４０は複数個の高強度橋絡部１３４ｂと複数個のスリット１３２とから構成されている。高強度橋絡部１３４ｂの周方向幅ｗｂは２．０乃至１０．０ｍｍ、特に３．０乃至７．０ｍｍであるのが好ましい。高強度領域１４０におけるスリット１３２の周方向長さ（幅）ｓｗは２．０乃至５．０ｍｍ程度でよい。図４に図示する実施形態における内圧開放ライン１３６以外の構成は図１乃至図３に図示する実施形態と実質上同一でよい。
【００２７】
図４に図示する実施形態においては、容器蓋を容器の口頸部に装着して口頸部を密封した状態において、例えば容器が過剰に加熱されることによって、或いは口頸部から一旦容器蓋２を離脱した後に再び容器蓋を口頸部に装着して口頸部を密封した後に内容物が腐敗して発酵することによって、容器内圧が過剰に上昇せしめられると、後述する実施例からも理解される如く、シェル１０４のスカート壁１１０に形成されている内圧開放ライン１３６における低強度領域１３８の低強度橋絡部１３４ａが破断される。一方、高強度領域１４０における高強度橋絡部１３４ｂは破断されることなく維持される。従って、図４に二点鎖線で例示する如く、低強度領域１３８においてシェル１０４の天面壁及びその内面に配設されているライナーが局部的に上方に変位せしめられて口頸部から離隔され、かくして過剰に上昇した内圧が開放される。それ故に、過剰に上昇下内圧によって容器が破裂され或いは口頸部から容器蓋２が飛翔せしめられることが充分確実に回避される。他方、例えば口頸部が容器蓋によって密封されている容器が倒立状態で落下せしめられ、容器蓋に相当な衝撃が加えられたとしても、内圧開放ライン１３６の低強度領域１３８はその両側に存在する高強度領域１４０によって補強されている故に、低強度領域１３８の低強度橋絡部１３４ａが破断されて口頸部の密封が毀損されてしまうことは充分確実に回避される。
【００２８】
図５は本発明に従って構成された容器蓋の他の好適実施形態を図示している。図５に図示する実施形態においては、シェル２０４のスカート壁２１０に形成されている内圧開放ライン２３６は、低強度領域２３８、高強度領域２４０及び非低強度（即ち高強度又は中強度）領域２４１を含んでいる。低強度領域２３８は、図１乃至図３に図示する実施形態における内圧開放ライン３６における低強度領域３８と同様に、２０乃至６０度、好ましくは２５乃至４５度、の角度範囲に渡って存在していることが重要である。高強度領域２４０は低強度領域２３８に隣接してその両側に位置し且つ５乃至４０度、好ましくは１０乃至２０度、の角度範囲に渡って存在していることが重要である。非低強度領域２４１は残余の角度範囲に存在せしめられており、図示の実施形態では低強度領域２３８に対して直径方向反対側に位置する付加高強度領域２４３と中強度領域２４２とを含んでいる。付加高強度領域２４３は２０乃至７０、特に２５乃至６０度、の角度範囲に渡って存在しているのが公的であり、中強度領域２４２は非低強度領域２４１の残余の角度範囲に渡って存在せしめられている。低強度領域２３８は少なくとも１個、好ましくは３又は４個、の低強度橋絡部２３４ａと複数個のスリット２３２から構成されていることが重要である。図示の低強度領域２３８は３個の低強度橋絡部２３４ａと４個のスリット２３２とから構成されている。低強度橋絡部２３４ａの周方向幅ｗａは０．５乃至０．８ｍｍ、特に０．５乃至０．７ｍｍであるのが好適である。低強度領域２３８におけるスリット２３２の周方向長さ(幅）ｓｗは２．０乃至５．０ｍｍ程度でよい。高強度領域２４０にはスリットが存在せず、高強度領域２４０は連続して存在する高強度橋絡部２３４ｂから構成されている。付加高強度領域２４３にもスリットは存在せず、付加高強度領域２４３も連続して存在する付加高強度橋絡部２３４ｄから構成されている。中強度領域２４２は複数個の中強度橋絡部２３４ｃと複数個のスリット２３２とから構成されている。中強度橋絡部２３４ｃの周方向幅ｗｃは１．０乃至１．５ｍｍ、特に１．１乃至１．４ｍｍであるのが好ましい。中強度領域２４０におけるスリット２３２の周方向長さ（幅）ｓｗは２．０乃至５．０ｍｍ程度でよい。図５に図示する実施形態における内圧開放ライン２３６以外の構成は図１乃至図３に図示する実施形態と実質上同一でよい。
【００２９】
図５に図示する実施形態においては、容器蓋を容器の口頚部に装着して口頸部を密封した状態において、例えば容器が過剰に加熱されることによって、或いは口頸部から一旦容器蓋２を離脱した後に再び容器蓋を口頸部に装着して口頸部を密封した後に内容物が腐敗して発酵することによって、容器内圧が過剰に上昇せしめられると、後述する実施例からも理解される如く、シェル２０４のスカート壁２１０に形成されている内圧開放ライン２３６における低強度領域２３８の低強度橋絡部２３４ａが破断される。通常、高強度領域２４０における高強度橋絡部２３４ｂ並びに非低強度領域２４１における付加高強度橋絡部２３４ｄ及び中強度橋絡部２３４ｃは破断されることなく維持される。従って、図５に二点鎖線で例示する如く、低強度領域２３８においてシェル２０４の天面壁及びその内面に配設されているライナーが局部的に上方に変位せしめられて口頸部から離隔され、かくして過剰に上昇した内圧が開放される。それ故に、過剰に上昇下内圧によって容器が破裂され或いは口頸部から容器蓋２が飛翔せしめられることが充分確実に回避される。特異状況の発生に起因して容器内圧が急激に大幅に増大し、低強度橋絡部２３４ａの破断に誘発されて高強度橋絡部２３４ｂ及び中強度橋絡部１３４ｃも破断されたとしても、付加高強度橋絡部１３４ｄは破断されることなく維持され、シェル２０４における内圧開放ライン２３６よりも上方の部分が他の部分から分離されて飛翔されることは確実に防止される。他方、例えば口頸部が容器蓋によって密封されている容器が倒立状態で落下せしめられ、容器蓋に相当な衝撃が加えられたとしても、内圧開放ライン２３６の低強度領域２３８はその両側に存在する高強度領域２４０によって補強されている故に、低強度領域２３８の低強度橋絡部２３４ａが破断されて口頸部の密封が毀損されてしまうことは充分確実に回避される。
【実施例１】
【００３０】
厚さ０．２５ｍｍのアルミニウム基合金薄板から、図１乃至及び図２に図示するとおりの形態の呼び径３８ｍｍのシェルを形成した。次いで、かかるシェルの天面壁に軟化溶融状態の軟質ポリエチレンを供給し、図１に図示するとおりの形態のライナーを型押成形し、かくして図１及び図２に図示するとおりの形態の容器蓋を形成した。ライナーの外径は３６．３ｍｍであった。シェルの内圧開放ラインにおいて、低強度領域は５０度の角度範囲に渡って存在し、かかる低強度領域には周方向幅が０．６ｍｍである低強度橋絡部が３個存在し、高強度領域は５５度の角度範囲に渡って存在し、中強度領域には周方向幅が１．３ｍｍである中強度橋絡部が１９個存在し、低強度領域及び中強度領域に存在するスリットの周方向幅は３．２ｍｍであった。
【００３１】
三菱マテリアル株式会社から販売されている、内容積３１０ｍｌで図１及び図３に図示するとおりの形態である呼び径３８ｍｍの口頸部（外巻カールの外径は３３．５ｍｍであった）を有するアルミニウム薄板製容器に、８５℃のお湯を３００ｍｌ充填し、次いで容器内圧が０．１３±０．０５ＭＰａになるように液体窒素を滴下し、しかる後に図３に図示するとおりに上記容器蓋を容器の口頸部に装着して口頸部を密封し、次いで２４時間放置し、かくしてサンプルＡを作成した。
【００３２】
５個のサンプルＡについて、次のとおりの手順で耐圧試験（バージン）を遂行した。シェルの天面壁に先端部にガス充填孔を有する針を挿通して水槽内に没入せしめ、０．０３４ＭＰａ／秒の圧力上昇速度で窒素ガスを充填し、容器内圧が開放される内圧を測定した。その結果は表１の欄「バージン」に示すとおりであった。そして、内圧が開放された容器に装着されている容器蓋を観察したところ、シェルの内圧開放ラインにおける低強度橋絡部及び中強度橋絡部が破断され、シェルの天面壁及びその内面に配設されているライナーが図３に二点鎖線で図示する如くに変形していた。
【００３３】
５個のサンプルについて、手動によって容器蓋を口頚部から一旦離脱せしめた後に再び口頚部に螺着し、しかる後の上述したとおりの耐圧試験（リシール）を遂行した。その結果は表１の欄「リシール」に示すとおりであった。
【００３４】
【表１】
2006117301.tif 000003
【００３５】
更に、１０のサンプルＡについて、次のとおりの手順で２０ｃｍ落下衝撃試験を遂行した。最初に、大和製罐株式会社から販売されている「非破壊式缶内圧計」によって容器胴部を通して容器内圧を測定した。次いで、鉛直に落下径路を通して倒立状態の容器を２０ｃｍ自由落下せしめて、上面が傾斜角度１０度の傾斜面である鉄製円柱部材に衝突せしめた。そして、２４時間(１日）放置した後に上記「非破壊式缶内圧計」によって容器内圧を測定した。その結果は表２の欄「２０ｃｍ」に示すとおりであった。
【００３６】
１０個のサンプルＡについて、３０ｃｍ自由落下せしめたことを除いて上記手順と同様にして３０ｃｍ落下衝撃試験を遂行した。その結果は表２の欄「３０ｃｍ」に示すとおりであった。
【００３７】
【表２】
2006117301.tif 000004
【実施例２】
【００３８】
シェルの内圧開放ラインの形態が図５に図示するとおりである点を除いて上記サンプルＡと同様のサンプルＢを形成した。シェルの内圧開放ラインにおいて、低強度領域は５０度の角度範囲に渡って存在し、かかる低強度領域には周方向幅が０．６ｍｍである低強度橋絡部が３個存在し、低強度領域に隣接してその両側に存在する高強度領域は共に１５度の角度範囲に渡って存在し、付加高強度領域は５５度の角度範囲に渡って存在し、中強度領域には周方向幅が１．３ｍｍである中強度橋絡部が１６個存在し、低強度領域及び中強度領域に存在するスリットの周方向幅は３．２ｍｍであった。
【００３９】
５個のサンプルＢについて上記耐圧試験（バージン)と同様の耐圧試験（バージン）を追行した。その結果は表３の欄「バージン」に示すとおりであった。また、５個のサンプルＢについて上記耐圧試験（リシール）と同様の耐圧試験（リシール）を遂行した。その結果は表３の欄「リシール」に示すとおりであった。
【００４０】
【表３】
2006117301.tif 000005
【００４１】
更に、１０個のサンプルＢについて上記２０ｃｍ落下衝撃試験と同様の２０ｃｍ落下衝撃試験を遂行した。その結果は表４の欄「２０ｃｍ」に示すとおりであった。また、１０個のサンプルＢについて上記３０ｃｍ落下衝撃試験と同様の３０ｃｍ落下衝撃試験を遂行した。その結果は表４の欄「３０ｃｍ」に示すとおりであった。
【００４２】
【表４】
2006117301.tif 000006
【図面の簡単な説明】
【００４３】
【図１】本発明に従って構成された容器蓋の好適実施形態を、一部を断面で示す正面図。
【図２】図１の容器蓋におけるシェルのスカート壁を示す展開図。
【図３】図１に示す容器蓋を容器の口頸部に装着した状態を、一部を断面で示す正面図。
【図４】本発明に従って構成された容易蓋の他の好適実施形態におけるシェルのスカートを示す展開図。
【図５】本発明に従って構成された容易蓋の更に他の好適実施形態におけるシェルのスカートを示す展開図。
【符号の説明】
【００４４】
２：容器蓋
４：シェル
６：ライナー
８：天面壁
１０：スカート壁
３２：スリット
３４：橋絡部
３４ａ：低強度橋絡部
３４ｂ：高強度橋絡部
３４ｃ：中強度橋絡部
３６：内圧開放ライン
３８：低強度領域
４０：高強度領域
４２：中強度領域
４８：口頸部
１０４：シェル
１１０：スカート壁
１３２：スリット
１３４ａ：低強度橋絡部
１３４ｂ：高強度橋絡部
１３６：内圧開放ライン
１３８：低強度領域
１４０：高強度領域
２０４：シェル
２１０：スカート壁
２３２：スリット
２３４ａ：低強度橋絡部
２３４ｂ：高強度橋絡部
２３４ｃ：中強度橋絡部
２３８：低強度領域
２４０：高強度領域
２４１：非低強度領域
２４２：中強度領域
２４３：付加高強度領域
【図１】
2006117301.tif 000007
【図２】
2006117301.tif 000008
【図３】
2006117301.tif 000009
【図４】
2006117301.tif 000010
【図５】
2006117301.tif 000011